Podtech/llm-jp-corpus-v4-ja_patent huggingface dataset:
(57)【要約】【課題】      硬質の合成樹脂補強板に布帛を添着して布帛を介して合成樹脂補強板にアッパ−を接着した靴を提供することである。【解決手段】  硬質の合成樹脂補強板３の少なくとも下側面または上下両側面に不織布で構成された起毛した布帛６が添着されている。  起毛した布帛６には上下両側面に起毛６ａが形成されている。  硬質の合成樹脂補強板３に起毛した布帛６が添着される時は、硬質の合成樹脂補強板３の側面が加熱することで溶融されて溶融した溶融樹脂３ａが布帛６の起毛６ａの繊維の間に含浸して硬化することで布帛６を添着する。  アッパ−２の外装材と硬質の合成樹脂補強板３が接着される時は、アッパ−２の外装材と起毛した布帛６の起毛６ａの繊維の間に接着材７を含浸して接着される。【選択図】        図３
2010154882.tif 000002
【特許請求の範囲】
【請求項１】
アッパ−の底部に合成樹脂補強板を介在させた靴において、前記合成樹脂補強板に起毛した布帛を添着して布帛を介して合成樹脂補強板をアッパ−に接着したことを特徴とする靴。
【請求項２】
合成樹脂補強板に該補強板を溶融した樹脂を布帛の繊維の間に含浸して布帛を添着したことを特徴とする請求項１に記載の靴。
【請求項３】
布帛は、不織布であることを特徴とする請求項１又は２に記載の靴。
【発明の詳細な説明】
【技術分野】
【０００１】
本発明は、アッパ−の内側底部の上に合成樹脂補強板を介在させた靴に関する。
【背景技術】
【０００２】
従来から靴の底部には特許文献１のように比較的硬質の素材からなるインソ−ル材が介在されている。
この特許文献１にはアウトソ−ル上や胛被上にインソ−ル材がどのように積層固定されるのか説明されていないが、比較的硬質の素材からなるインソ−ル材にアウトソ−ルや胛被を接着することは歩く時に底部が歪むため難しく、確実に強固に固定することが出来ない欠点がある。
【特許文献１】特開２００２−２８２０１０号公報
【発明の開示】
【発明が解決しようとする課題】
【０００３】
解決しようとする問題点は、硬質の素材からなるインソ−ル材にアウトソ−ルや胛被を接着することは歩く時に底部が歪むため難しく、確実に強固に固定することが出来ないことである。
【０００４】
本発明の目的は前記欠点に鑑み、硬質の合成樹脂補強板に布帛を添着して布帛を介して合成樹脂補強板にアッパ−を接着した靴を提供することである。
【課題を解決するための手段】
【０００５】
本発明の請求項１は、アッパ−の底部に合成樹脂補強板を介在させた靴において、前記合成樹脂補強板に起毛した布帛を添着して布帛を介して合成樹脂補強板をアッパ−に接着したことを要旨とするものである。
本発明の請求項２は、合成樹脂補強板に該補強板を溶融した樹脂を布帛の繊維の間に含浸して布帛を添着したことを要旨とするものである。
本発明の請求項３は、布帛は、不織布であることを要旨とするものである。
【発明の効果】
【０００６】
本発明の請求項１により、合成樹脂補強板に添着した布帛の起毛を介してアッパ−を強固に接着することができる。
また、本願の請求項２により、合成樹脂補強板に起毛した布帛を、合成樹脂補強板を加熱することで溶融されて溶融した溶融樹脂を布帛の起毛の繊維の間に含浸して硬化することで布帛を確実に添着することができる。
請求項３により、アッパ−の外装材と合成樹脂補強板は、合成樹脂補強板に添着した不織布の布帛の起毛の繊維の間に十分に接着材を含浸して接着することができ、アッパ−の外装材を合成樹脂補強板に接着することが容易に、確実に強固に固定することが出来る。
【発明を実施するための最良の形態】
【０００７】
硬質の合成樹脂補強板３の少なくとも下側面または上下両側面に不織布で構成された起毛した布帛６が添着されている。
図３のように起毛した布帛６には上下両側面に起毛６ａが形成されている。
硬質の合成樹脂補強板３に起毛した布帛６が添着される時は、硬質の合成樹脂補強板３の側面が加熱することで溶融されて溶融した溶融樹脂３ａが布帛６の起毛６ａの繊維の間に含浸して硬化することで布帛６を添着する。
アッパ−２の外装材と硬質の合成樹脂補強板３が接着される時は、アッパ−２の外装材と起毛した布帛６の起毛６ａの繊維の間に接着材７を含浸して接着される。
【実施例１】
【０００８】
以下、図示の一実施例によって本発明を説明すると、図１は靴の断面側面図、図２は靴の縦断面背面図、図３は図２の一部拡大断面背面図ある。
【０００９】
靴は、ソ−ル１の上にアッパ−２が接着固定され、アッパ−２の内側底部２ａの上に、起毛した布帛を少なくとも下側面または上下両側面に添着した合成樹脂補強板３が接着固定され、合成樹脂補強板３の上に受け板４が固定されてその上に中敷５が固定されている。
ソ−ル１はゴム、ウレタンなどの合成樹脂で形成されている。
アッパ−２は布や革などの外装材で底部２ａと甲部２ｂで足形に合った袋状に形成されている。
合成樹脂補強板３は、アッパ−２の底部２ａを形成する他の材料よりも硬質でその少なくとも下側面または上下両側面に起毛した布帛６が添着されている。
布帛６は不織布で構成されている。
図３のように起毛した布帛６には上下両側面に起毛６ａが形成されている。
起毛６ａは布帛６から布帛６の繊維が立ち上がった状態であり、繊維の端部が布帛６から突出していてもよいし、ル−プ状の繊維が突出したものでもよい。
硬質の合成樹脂補強板３に起毛した布帛６が添着固定される時は、合成樹脂補強板３に布帛６を添えて硬質の合成樹脂補強板３を加熱することで溶融されて溶融した溶融樹脂３ａが布帛６の繊維の間に含浸して硬化することで布帛６を添着し、この時、起毛６ａには溶融樹脂３ａは含浸しない。
アッパ−２の外装材と硬質の合成樹脂補強板３が接着される時は、アッパ−２の外装材と起毛した布帛６の起毛６ａの繊維の間に接着材７を含浸して接着される。
【００１０】
前記のように靴が構成されていると、硬質の合成樹脂補強板３に直接布や革などの外装材で形成されたアッパ−２を接着することは難しく、従来は確実に強固に固定することが出来なかったが、硬質の合成樹脂補強板３に起毛した布帛６を、合成樹脂補強板３を加熱することで溶融されて溶融した溶融樹脂３ａを布帛６の起毛６ａの繊維の間に含浸して硬化することで布帛６を添着することができ、アッパ−２の外装材と合成樹脂補強板３は、合成樹脂補強板３に添着した布帛６の起毛６ａの繊維の間に接着材７を含浸して接着することで、アッパ−２の外装材を合成樹脂補強板３に接着することが容易に、確実に強固に固定することが出来る。
【産業上の利用可能性】
【００１１】
本発明は靴全般に利用できる。
【図面の簡単な説明】
【００１２】
【図１】靴の断面側面図である。
【図２】靴の縦断面背面図である。
【図３】図２の一部拡大断面背面図である。
【符号の説明】
【００１３】
２  アッパ−
２ａ  底部
３  合成樹脂補強板
３ａ  溶融樹脂
６  布帛
６ａ  起毛
【図１】
2010154882.tif 000003
【図２】
2010154882.tif 000004
【図３】
2010154882.tif 000005
(57)【要約】【課題】  従来の耕作は農作地を人の手もしくは機械で耕さなければならず、無耕作は農作地の土に種が植わりにくく雑草に悩まされるという問題があった。また肥料が必要であったり、雑草対策に農薬を使用することがある。肥料についても、家畜の堆肥を使用する場合は、家畜が摂取した抗生物質が糞として排出されたものを使用していた。【解決手段】  囲われた農作地に豚を放牧飼育し、豚が雑草及びその根をかじることにより雑草がなくなる。その際、根をかじるために豚が鼻で土を掘り起こし、人の手を煩わすことなく土を耕すことができる。放牧飼育する豚の飼料には抗生物質等の薬物を一切使用せず、微生物資材を与え、排出した糞尿は堆肥となり農作地の有機肥料となる。農作地から豚を出荷した後、そこに農作物の種をまき、肥料を使用せずに有機栽培を行うことができる。収穫された農作物は完全な無農薬による付加価値のついた商品として出荷することができる。出荷の規格外の農作物については、豚の無農薬飼料として使用でき、循環型畜産農法となる。【選択図】なし【特許請求の範囲】
【請求項１】
囲まれた農作地に抗生物質不使用豚を放牧飼育し、豚が雑草や根をかじるために土を掘り起こし、人の手を煩わず土を耕すことが出来、豚を出荷または移動した後に種をまき有機栽培を行い、完全な無農薬による商品を出荷し、出荷規格外の農産物を豚の無農薬飼料として使用することを特徴とする循環型畜産農法。
【発明の詳細な説明】
【技術分野】
【０００１】  この発明は、農作地に抗生物質不使用豚を放牧飼育し、豚が雑草や根をかじるために土を掘り起こし、人の手を煩わず土を耕すことが出来、豚を出荷した後に種をまき有機栽培を行い、完全な無農薬による商品を出荷し、出荷規格外の農産物を豚の無農薬飼料として使用する循環型畜産農法に関する。
【発明の開示】
【発明が解決しようとする課題】
【０００２】  従来の耕作は農作地を人の手もしくは機械で耕さなければならず、無耕作は農作地の土に種が植わりにくく雑草に悩まされるという問題があった。また肥料が必要であったり、雑草対策に農薬を使用することがある。肥料についても、家畜の堆肥を使用する場合は、家畜が摂取した抗生物質が糞として排出されたものを使用していた。これにより畑に抗生物質が沢山まかれ耐性菌をもつ病気が農産物をなやませている。【０００３】  また、栽培された農産物は形の良いものが商品として出荷され、形が悪かったり傷のついた農産物は廃棄処分され費用や労力がかかっているのが現状である。一方で、家畜の飼育にかかる飼料代が原料価格の異常高騰により費用負担が増加して廃業に多く追い込まれている。【０００４】  この発明は、農業と畜産業の連携がうまくかみ合っていなかったという問題を解決しようとするものであり、抗生物質不使用豚の放牧と農作物の無耕作有機栽培による安心安全な循環型畜産農法を実現することを目的とする。
【課題を解決するための手段】
【０００５】  本発明は上記目的を達成するために、農作物を今後栽培する予定の囲われた農作地に抗生物質不使用豚を放牧飼育する。豚が雑草及びその根をかじることにより雑草がなくなり、その際根をかじるために豚が鼻で土を掘り起こし、人の手を煩わすことなく土を耕すことができる。豚が地表の雑草だけではなく根までかじることにより、雑草が再び生えてくるということがなくなるので従来雑草対策として使用していた農薬を使用しなくて済む。【０００６】  放牧飼育する豚の飼料には抗生物質等の薬物を一切使用しない。豚の体調を保つため微生物資材を与え、腸の活性化を図り、健康な排便になるようにする。排出した糞尿は抗生物質の含まれていないリン分を多量に含む堆肥となり農作地の有機肥料となる。また、農作地にあった雑草や根が豚の栄養源にもなっている。【０００７】  農作地から１ヶ月から３ヶ月の間豚を放牧し、出荷もしくは移動した後、そこに農作物の種をまき、肥料を使用せずに無耕作有機栽培を行うことができる。収穫された農作物は完全な無農薬による付加価値のついた商品として出荷することができる。出荷の規格外の農作物については、豚の単一の無農薬飼料として使用でき、循環型畜産農法となる。
【発明の効果】
【０００８】  上述したように本発明の循環型農産法は、無農薬の安心安全な農産物を無耕作によって作ることが可能になる。【０００９】  また、農作地で収穫された出荷規格外の農産物を豚の飼料に使用するため、飼料代の費用の軽減及び規格外の農産物の廃棄費用の軽減が出来るという効果を発揮するものである。
【発明を実施するための最良の形態】
【００１０】  農薬を使用していない農作地に、豚を放牧するための柵を設置する。豚の餌場及び水飲み場を設置し飼育が出来るようにする。放牧地は、糞尿の悪臭対策のため豚１頭あたり３０坪以上を確保する。この際、農作地にある雑草や農作物の未収穫物はそのままにした状態で柵の中へ豚を放牧する。飼育中に使用する飼料は抗生物質の使用していないものを与える。また、豚の腸内活性のために微生物資材を与え排便の調子を整える。【００１１】  １ヶ月から３ヶ月間豚を放牧した時点で柵の移動又は肉豚として出荷をし、柵の中を空にする。空になった農作地に収穫したい農産物の種をまき、無耕作にて農産物を成長させる。豚の糞尿が堆肥となるため、肥料は使用しない。また、農薬も一切使用しずに成長させる。【００１２】  農作物が成長したら収穫を行い、出荷できるものは出荷し、出荷の規格外の農産物は豚の飼料用として備蓄しておく。【００１３】  収穫が終わった農作地へ再び豚を放牧し、備蓄しておいた農作物を飼料として与え、放牧と農作を交互に繰り返し、循環型畜産農法となってゆく。
(57)【要約】【課題】簡単に水の貯留容器に対する栽培鉢の高さを簡単に変えられ、吸水体による水揚げ能力を長期間確保できる植物栽培容器を提供するものである。【解決手段】水の貯留容器と、貯留容器の内側に位置する栽培鉢を有し、栽培容器に底板を設置し、底板の上部に培土を入れ、底板から垂らした吸水体を貯留容器内の水に浸すようにした植物栽培容器において、貯留容器と栽培鉢は上下位置調整可能に互いに係合させたものである。【選択図】図１
2010154827.tif 000002
【特許請求の範囲】
【請求項１】
水の貯留容器と、貯留容器の内側に位置する栽培鉢を有し、栽培容器に底板を設置し、底板の上部に培土を入れ、底板から垂らした吸水体を貯留容器内の水に浸すようにした植物栽培容器において、貯留容器と栽培鉢は上下位置調整可能に互いに係合していることを特徴とする植物栽培容器。
【請求項２】
貯留容器と栽培鉢は上下位置調整可能に互いに凹凸係合していることを特徴とする請求項１に記載の植物栽培容器。
【請求項３】
栽培鉢に対して底板の位置を上下に移動可能にしたことを特徴とする請求項１に記載の植物栽培容器。
【請求項４】
培土と底板の間に防根シートを設けたことを特徴とする請求項１に記載の植物栽培容器。
【発明の詳細な説明】
【技術分野】
【０００１】  本発明は野菜、草花等の植物を栽培するプランタに関するもので、長期間にわたり補水の手間を省いた植物栽培容器に関するものである
【背景技術】
【０００２】  従来技術として、草花、野菜等の植物の補水を長期間行わなくてもよい栽培容器が知られている。（例えば特許文献１参照）【０００３】
【特許文献１】特許第２７２４４３１号公報
【発明の開示】
【発明が解決しようとする課題】
【０００４】  文献に示す従来例は、用水の貯留容器と栽培土を入れる栽培容器を上下に設置し、その間に吸水体を設けている。水量が減少すると給水体のが減少するのでレンガの向きを変えて培土の入った栽培鉢の高さを下げることにより吸水体の水揚げを確保している。しかし、レンガの向きを変えるには栽培鉢を持ち上げ、水の中に手をいれなければできず、非常に面倒であった。【０００５】  本発明は上記のような従来の欠点を解決しようとするものであり、簡単に水の貯留容器に対する栽培鉢の高さを簡単に変えられ、吸水体による水揚げ能力を長期間確保できる植物栽培容器を提供しようとするものである。
【問題を解決するための手段】
【０００６】  本発明は、その目的を達成するために、水の貯留容器と、貯留容器の内側に位置する栽培鉢を有し、栽培容器に底板を設置し、底板の上部に培土を入れ、底板から垂らした吸水体を貯留容器内の水に浸すようにした植物栽培容器において、貯留容器と栽培鉢は上下位置調整可能に互いに係合している植物栽培容器を提供するものである。
その植物栽培容器は、貯留容器と栽培鉢は上下位置調整可能に互いに凹凸係合している。
又、栽培鉢に対して底板の位置を上下に移動可能にした。
又、その栽培容器は、培土と底板の間に防根シートを設けた。
【発明の効果】
【０００７】  簡単に水の貯留容器に対する栽培鉢の高さを簡単に変えられ、吸水体による水揚げ能力を長期間確保できる植物栽培容器を提供しようとするものである。
【発明を実施するための最良の形態】
【０００８】  以下、本発明の実施形態について図面を参照して説明する。
１は貯留容器で、底部に灌水用の水が溜まるようになっており、上部開口部付近側壁内面には互いに対向して凸部１ａを４箇所形成する。
２は栽培鉢で、上部開口部側壁外面には互いに対向して凹部２ａを４箇所形成し、貯留容器１の凸部１ａと係合している。底部は長方形状の開口部２ｂを形成している。
栽培鉢２の上部開口部側壁内面には互いに対向して凹部２ｃを４箇所形成し、凹部２ｃには底板３が係合されている。【０００９】  底板３は両端に切欠３ａを有し、その切欠３ａを通して底板３を跨ぐように布等の吸収体４が長方形状の開口部２ｂを通して両側に、その端部４ａを貯蓄容器１の底部の水の中に垂れ下がっている。【００１０】  底板３の上には培土５が入れられており、その中に栽培植物６が植えられている。
なお、貯留容器１と栽培鉢２はプラスチック等の弾力性のある材質で作られるのが好ましい。【００１１】  先ず、栽培植物６が培土５あまり必要としない場合、底板３は図ｘ、ｙに示すとおり、比較的上部に係合させることができる。
又、栽培植物６が培土５を多く必要とする場合は底板３を比較的下部に設置すればよい。【００１２】  栽培植物６が水を吸収し、貯留容器１の底部の水面が下がり、吸収体４の水揚げ能力が低くなった場合、栽培鉢２を下げることで吸収体４の水揚げ能力を上げることができる。
図５は本発明の他の実施例を示し、底板３と培土５の間に防根シート７を介在させたものであり、成長した根が貯留容器１内に蔓延ることが防止できる。
【図面の簡単な説明】
【００１３】
【図１】本発明の一実施例の植物栽培容器の断面図
【図２】図１のＡ−Ａ断面図
【図３】図１に対して栽培鉢の位置を下げた植物栽培容器の断面図
【図４】図１に対して底板を上げた植物栽培容器の断面図
【図５】防根シートを取り付けた植物栽培容器の部分断面図
【符号の説明】
【００１４】  １    貯留容器
１ａ  貯留容器の凸部
２    栽培鉢
２ａ  栽培鉢の外面凹部
２ｂ  栽培鉢の長方形の開口部
２ｃ  栽培鉢の内面凹部
３    底板
３ａ  底板の切欠
４    吸収体
４ａ  吸収体の端部
５    培土
６    栽培植物
７    防根シート
【図１】
2010154827.tif 000003
【図２】
2010154827.tif 000004
【図３】
2010154827.tif 000005
【図４】
2010154827.tif 000006
【図５】
2010154827.tif 000007
(57)【要約】【課題】発酵工程で発生した炭酸ガスのうち必要な量の炭酸ガスだけを液化、気化し、液化と気化に要するエネルギを最小限に抑制する。【解決手段】仕込工程、醸造工程、及びびん詰め又は缶詰め工程を含むビール製造プロセスにおける炭酸ガスの利用方法は、醸造工程の発酵工程で発生した炭酸ガスを圧縮して低純度炭酸ガスを得る圧縮工程１３と、圧縮工程で得られた低純度炭酸ガスの一部を仕込工程２４における雰囲気ガスとして使用する工程と、圧縮工程で得られた残りの低純度炭酸ガスを液化・気化して高純度炭酸ガスを生成する工程と、高純度炭酸ガスをびん詰め又は缶詰め工程２９における雰囲気ガスとして使用する工程を有する。【選択図】図１
2010154760.tif 000002
【特許請求の範囲】
【請求項１】
仕込工程、醸造工程、及びびん詰め又は缶詰め工程を含むビール製造プロセスにおける炭酸ガスの利用方法であって、
上記醸造工程の発酵工程で発生した炭酸ガスを圧縮して低純度炭酸ガスを得る圧縮工程と、
上記圧縮工程で得られた低純度炭酸ガスの一部を仕込工程における雰囲気ガスとして使用する工程と、
上記圧縮工程で得られた残りの低純度炭酸ガスを液化・気化して高純度炭酸ガスを生成する工程と、
上記高純度炭酸ガスをびん詰め又は缶詰め工程における雰囲気ガスとして使用する工程を備えたことを特徴とするビール製造プロセスにおける炭酸ガスの利用方法。
【発明の詳細な説明】
【技術分野】
【０００１】
本発明は、ビール製造プロセスで発生する炭酸ガスの利用方法に関する。
【背景技術】
【０００２】
ビールの製造工程は、概略、仕込工程、醸造工程、びん（缶）詰め工程に分けることができる。仕込工程は、砕いた麦芽と、副原料（米、コーン、コーン、スターチ）を水と混ぜてもろみを造り、このもろみをろ過したものにホップを加えて煮沸して麦汁を造る工程である。醸造工程は、麦汁を冷却し、酵母を加えて発酵させる発酵工程、発酵工程で得られたビールを貯蔵タンクで低温貯蔵して熟成させる熟成工程、熟成したビールから酵母を取り除くろ過工程に分けられる。びん（缶）詰め工程は、ろ過されたビールをびん（又は缶）に詰める工程である。
【０００３】
以上の製造工程の中で、特に発酵工程では、麦汁中の糖分がアルコールと炭酸ガスに分解され、大量の炭酸ガスが発生する。ここで発生した炭酸ガスは、後に、仕込工程、ろ過工程、びん詰め工程のそれぞれのタンク内の置換ガスとして利用し、ビールが空気（特に酸素）に接触して酸化することを防止している。
【０００４】
そのために、従来、発酵工程で発生した炭酸ガスを圧縮、気化した高純度の炭酸ガスをすべてのタンクに供給して雰囲気ガスとして利用している。しかし、仕込工程で置換ガスとして利用される炭酸ガスに要求される純度と、最終製品のビール又はそれに近い状態のビールを扱うろ過工程やびん詰め工程で置換ガスとして利用される炭酸ガスに要求される純度は異なる。例えば、仕込工程では約９９．５％程度の低純度の炭酸ガスで十分であるのに対して、最終製品を扱うろ過工程やびん詰め工程では約９９．９５％の高純度の炭酸ガスが必要である。ところが、従来、低純度の炭酸ガスで十分である仕込工程にも高純度の炭酸ガスを供給しており、過度の量の炭酸ガスを液化、気化している。
【発明の開示】
【発明が解決しようとする課題】
【０００５】
そこで、本発明は、低純度の炭酸ガスで十分な仕込工程には低純度の炭酸ガスを供給し、高純度の炭酸ガスが必要なびん（缶）詰め工程に供給するようにしたものである。
【課題を解決するための手段】
【０００６】
具体的に、本発明は、仕込工程、醸造工程、及びびん詰め又は缶詰め工程を含むビール製造プロセスにおける炭酸ガスの利用方法であって、
上記醸造工程の発酵工程で発生した炭酸ガスを圧縮して低純度炭酸ガスを得る圧縮工程と、
上記圧縮工程で得られた低純度炭酸ガスの一部を仕込工程における雰囲気ガスとして使用する工程と、
上記圧縮工程で得られた残りの低純度炭酸ガスを液化・気化して高純度炭酸ガスを生成する工程と、
上記高純度炭酸ガスをびん詰め又は缶詰め工程における雰囲気ガスとして使用する工程を備えたことを特徴とする。
【発明の効果】
【０００７】
本発明によれば、発酵工程で発生した炭酸ガスのうち必要な量の炭酸ガスだけを液化、気化し、液化と気化に要するエネルギを最小限に抑制できる。
【発明を実施するための最良の形態】
【０００８】
以下、図１を参照して本発明の実施例を説明する。図１は、ビール製造プロセスにおける炭酸ガス処理プロセス１を示す。
【０００９】
図示する炭酸ガス処理プロセス１は、回収工程１１、前処理工程１２、圧縮工程１３、液化工程１４、気化工程１５、貯蔵工程１６を有する。
【００１０】
回収工程１１は、発酵工程１０で発生した炭酸ガスを回収タンク２１に回収して貯蔵する。
【００１１】
前処理工程１２は、回収タンク２１から供給された炭酸ガスを水で洗浄する洗浄工程２２と炭酸ガスに含まれる臭いを除去する脱臭工程２３を含み、この前処理工程１２で炭酸ガスに含まれる異物（例えば、硫化水素）が除去される。
【００１２】
圧縮工程１３は、前処理工程１２で洗浄・脱臭された炭酸ガスを圧縮する。圧縮された炭酸ガスは約９９．５％の純度を有する。以下、圧縮工程１３で圧縮された炭酸ガスを「低純度炭酸ガス」という。
【００１３】
低純度炭酸ガスの一部は、仕込工程２４に供給され、仕込工程２４の各種タンク（仕込釜、仕込槽、麦汁ろ過槽、煮沸槽）の雰囲気ガス（空気置換ガス）として利用される。
【００１４】
残りの低純度炭酸ガスは、液化工程１４でコンデンサ２５によって液化される。
【００１５】
好ましくは、液化された炭酸ガスは、貯蔵槽２６で一時的に貯蔵され、必要量が気化工程１５に供給される。
【００１６】
貯蔵槽２６から供給される液化炭酸ガスは、気化工程１５で気化器２７によって気化される。気化された炭酸ガスは約９９．９５％の純度を有する。以下、気化工程１５で気化された炭酸ガスを「高純度炭酸ガス」という。
【００１７】
このようにして製造された高純度炭酸ガスは、必要であれば、貯蔵工程１６に送られて貯蔵槽２８に貯蔵された後、醸造工程の発酵・熟成工程２９やびん詰（缶）詰め工程３０に供給される。また、必要であれば、低純度炭酸ガスとともに仕込工程２４に供給され、そこでビールの酸化を防止する雰囲気ガスとして利用される。
【００１８】
このように、本発明によれば、発酵工程で発生した炭酸ガスはそのすべてが液化、気化されることがなく、一部は低純度のままで仕込工程に供給される。したがって、発酵工程で発生した炭酸ガスのすべての気化、液化している従来のプロセスに比べて、液化、気化に要するエネルギ（具体的には、電力）を削減できる。
【図面の簡単な説明】
【００１９】
【図１】本発明に係る炭酸ガス利用方法（処理プロセス）を説明する図。
【符号の説明】
【００２０】
１：炭酸ガス処理プロセス
１１：回収工程
１２：前処理工程
１３：圧縮工程
１４：液化工程
１５：気化工程
１６：貯蔵工程
２１：回収タンク
２２：洗浄工程
２３：脱臭工程
２４：仕込工程
２５：コンデンサ
２６：貯蔵槽
２７：気化器
２８：貯蔵槽
２９：発酵・熟成工程
３０：びん詰（缶）詰め工程
【図１】
2010154760.tif 000003
(57)【要約】【課題】  抽象的に模った人形を提供する。【解決手段】  身体を分割し、この分割辺は、頭部、胴部、腕部、脚部等の輪郭を模り、石垣上状に積み重ねネジ止め固定され、各々の分割辺の積み重ね結合される部分の一部又は全てが斜めに傾斜したことを特徴とする。【選択図】図１
2010104742.tif 000002
【特許請求の範囲】
【請求項１】
身体を分割し、この分割辺は、頭部、胴部、腕部、脚部等の輪郭を抽象的に模り、石垣状に積み重ねネジ止め固定され、各々の分割辺の積み重ね結合される部分の一部又は全てが斜めに傾斜して成る人形。
【発明の詳細な説明】
【技術分野】
【０００１】  この発明は、身体を分割し組み立てた人形に関するものである。
【背景技術】
【０００２】  従来、身体を分割し組み立てた人形は数多くあるが、写実的でリアルな表現を求めようとしたものが多かった。
【発明の開示】
【発明が解決しようとする課題】
【０００３】  これは、人間の想像力を駆り立てる範囲を狭め、絵画であれば写実的であり、近年の技術的な進歩により、その精度は益々向上している反面、抽象的な表現をする人形が求められている。
【課題を解決するための手段】
【０００４】  上記課題を解決するために、請求項１に記載の人形は、身体を分割し、この分割辺は、頭部、胴部、腕部、脚部等の輪郭を抽象的に模り、石垣状に積み重ねネジ止め固定し、各々の分割辺の積み重ね結合される部分の一部又は全てが斜めに傾斜して成ることを特徴としている。
【発明の効果】
【０００５】  請求項１に記載の発明によれば、身体を分割し、この分割辺は、頭部、胴部、腕部、脚部等の輪郭を抽象的に模り、石垣状に積み重ねネジ止め固定し、各々の分割辺の積み重ね結合される部分の一部又は全てが斜めに傾斜して成ることから、分割辺を結合し輪郭を強調するために結合部分の接触面積を小さくしても各々の分割辺がネジ止め固定されることから十分な結合強度が確保でき、また、各々の分割辺の積み重ね結合される部分の一部又は全てを斜めに傾斜させることにより、更に抽象的な人形の表情を豊かにすることを可能にしている。
【発明を実施するための最良の形態】
【０００６】  以下、本発明の実施の人形を図面を参照し説明する。
図１は、身体を分割し、その分割辺は、輪郭を抽象的に模った頭部（１）、第１の腕部（２）、第２の腕部（３）、第１の脚部（４）、第２の脚部（５）により構成され、頭部（１）の下方に第１の腕部（２）と第２の腕部（３）を設け、更にその下方に第１の脚部（４）と第２の脚部（５）を設け、各々の腕部は、胴体の一部を兼ね備えた輪郭で模り、頭部（１）、第１の腕部（２）、第２の腕部（３）と第２の脚部（５）は、下方から第１のネジ（６）により貫通固定され、第１の脚部（４）は、第２のネジ（７）により第２の腕部（３）に貫通固定されることによって全ての分割辺が一体化された人形としての形を形成し、各々の分割辺の結合部を斜め結合とした実施例である。【０００７】  図２は、輪郭を抽象的に模った頭部（１ａ）、第１の腕部（２ａ）、第２の腕部（３ａ）、第１の脚部（４ａ）、第２の脚部（５ａ）に分割された分割辺の全てを下方から第１のネジ（６ａ）によって貫通固定し一体化された人形として形成し、各々の分割辺の結合部を斜め結合とした実施例である。
【図面の簡単な説明】
【０００８】
【図１】  本発明の分割辺を二本のネジで貫通固定した正面部分断面図である。
【図２】  本発明の分割辺を一本のネジで貫通固定した正面部分断面図である。
【符号の説明】
【０００９】  １、１ａ  頭部
２、２ａ  第１の腕部
３、３ａ  第２の腕部
４、４ａ  第１の脚部
５、５ａ  第２の脚部
６、６ａ  第１のネジ
７  第２のネジ
【図１】
2010104742.tif 000003
【図２】
2010104742.tif 000004
(57)【要約】【課題】  主に電子機器、装飾品、家具等の細部の汚れを清掃しやすくするための綿棒を提供する。【解決手段】  軸体の端部を斜に形成した部分に、繊維体を巻き付け、台形立方体とし、これを成型したことを特徴とする綿棒。【選択図】図３
2010104747.tif 000002
【特許請求の範囲】
軸体の端部を斜に形成した部分に、繊維体を巻き付け、台形立方体とし、これを成型したことを特徴とする綿棒。
【発明の詳細な説明】
【技術分野】
【０００１】  本発明は、主に電子機器、装飾品、家具等の細部の汚れを清掃する綿棒に関するものである。
【背景技術】
【０００２】  従来は、電子機器、装飾品、家具等の細部の汚れを清掃する場合、通常の球状の綿球を持った綿棒を使用するか、登録実用新案第３０５９６９８号の様に端部が偏平または錐状に変形させた綿棒を使用していた。
【発明の開示】
【発明が解決しようとする課題】
【０００３】  しかし、汚れ部分のほとんどは平面に付着した汚れであり、球状の綿棒では汚れ面に接する部分が点となり、形状としてはなはだ不適当であり、偏平または錐状では、通常の平面には綿体が接しにくく、これまた不適当であった。
本発明は、以上の問題点を解決するためになされたものである。
【課題を解決するための手段】
【０００４】  軸体の端部を斜に形成した部分に、繊維体を巻き付け、台形立方体とし、これを成型したことを特徴とする綿棒である。
【発明の効果】
【０００５】  繊維体の５つの平面が無駄なく使用出来るので効率よく作業が出来、先端部は斜に成型されているので細部まで入り込んだ清掃が出米る。
【発明を実施するための最良の形態】
【０００６】  以下、本発明の実施の形態について説明する。
本発明の実施の形態を、図面の実施例に基いて説明する。１軸体は紙軸または合成樹脂軸で、太さ長さは用途を考慮して適宜定める。ただし、端部を斜に形成するため、この加工に適したものとし、又清掃する対象物が硬質の物が多いので、作業中の押圧等に耐え得るものでなければならない。斜に形成された１軸体端部に繊維体を捲着して２繊維部を形成する。形成した２繊維部はそのままでは平らになりにくいので押圧加工し、各面が丸く膨らまないようにする。斜部分の先端部は入り込んだ細部に挿入するので鋭角度を保持するよう成型する。
尚、軸体の素材は軸体の加工、強度に見合うものであれば紙軸、合成樹脂軸に限らない。
【図面の簡単な説明】
【０００７】
【図１】本発明の綿棒の側面図
【図２】本発明の断面図
【図３】本発明の斜視図
【符号の説明】
【０００８】    １  軸体
２  繊維部
【図１】
2010104747.tif 000003
【図２】
2010104747.tif 000004
【図３】
2010104747.tif 000005
(57)【要約】【課題】  磁石の性質を学べるゲーム性の高い教育玩具を提供する。【解決手段】  円柱磁石（１）を、その直径に近い枠（２）のはまったリング型磁石（３）の穴に差し込み、かつ、複数の磁性体の玉（４）の微妙な反発力で飛び出さないように押さえたことを特徴とする。  磁性体の玉（４）を１つずつ取っていくと、円柱磁石（１）を押さえる反発力が弱まり、ある時に、円柱磁石（１）が飛び出してくる。【選択図】図１
2010104744.tif 000002
【特許請求の範囲】
【請求項１】
円柱磁石（１）を、その直径に近い枠（２）のはまったリング型磁石（３）の穴に差し込み、かつ複数の磁性体の玉（４）の反発力で飛び出さないように押さえた教育玩具
【発明の詳細な説明】
【技術分野】
【０００１】  この発明は、円柱磁石（１）を、その直径に近い枠（２）のはまったリング型磁石（３）の穴に差し込み、かつ、複数の磁性体の玉（４）の微妙な反発力で飛び出さないように押えた教育玩具に関するものである。
【背景技術】
【０００２】  従来、磁石を利用した教育玩具は多かったが、ゲーム性が高い教育玩具は少なかった。
【発明の開示】
【発明が解決しようとする課題】
【０００３】  本発明は、磁石の引き合い、反発という性質を学ぶことはもちろん、他者とのやりとりも楽しめる、ゲーム性の高い教育玩具を提供するためになされたものである。
【課題を解決するための手段】
【０００４】  円柱磁石（１）を、その直径に近い枠（２）のはまったリング型磁石（３）の穴に差し込み、かつ、複数の磁性体の玉（４）の微妙な反発力で飛び出さないように押さえる。
本発明は以上の構成よりなる教育玩具である。
【発明の効果】
【０００５】  本発明により、磁石の性質を学びながら、複数の人間でゲームを楽しむことができる。
【発明を実施するための最良の形態】
【０００６】  以下、本発明を実施するための最良の形態について説明する。
円柱磁石（１）を、その直径に近い枠（２）のはまったリング型磁石（３）の穴に差し込み、かつ複数の磁性体の玉（４）の微妙な反発力で飛び出さないように押さえる。
本発明は、以上のような構造で、これを使用する時は、磁性体の玉（４）を一つずつ取っていけばよい。これにより、円柱磁石（１）を押さえる反発力は徐々に弱まり、ある時を契機に飛び出してくる。このランダムに生じる現象に、好きなルールを加えるとゲーム性の高い教育玩具となる。（飛び出した円柱磁石をキャッチした者が勝ちなど）
【図面の簡単な説明】
【０００７】
【図１】  本発明の斜視図である。
【符号の説明】
【０００８】  １  円柱磁石
２  枠
３  リング型の磁石
４  磁性体の玉
【図１】
2010104744.tif 000003
(57)【要約】【課題】  ゴルフボールをまっすぐ飛ばすためのアイアンヘッドならびに、ゴルフボールをまっすぐ打ち出すためのパターヘッドを提供する。【解決手段】アイアンヘッド部のフェース面に曲面を持たせたものを、人それぞれに適した他のアイアン部と組み合わせて使用することにより、ゴルフボールをまっすぐ飛ばすことが可能である。また、パターヘッド部のフェース面に曲面を持たせることにより、人それぞれに適した他のパター部と組み合わせて使用することにより、ゴルフボールをまっすぐ打ち出すことが可能である。【選択図】図１
2010104741.tif 000002
【特許請求の範囲】
【請求項１】
ゴルフクラブの形式の一つであるアイアンヘッド部のフェース面に曲面を持たせることによりまっすぐゴルフボールを飛ばすことを可能とすることを特徴とする曲面フェースアイアンヘッド。
【請求項２】
ゴルフクラブの形式の一つであるパターヘッド部のフェース面に曲面を持たせることによりまっすぐゴルフボールを打つことを可能とすることを特徴とする曲面フェースパターヘッド。
【発明の詳細な説明】
【技術分野】
【０００１】    本発明は、ゴルフボールをまっすぐ飛ばすためのアイアンヘッド部のフェース面、ならびにゴルフボールをまっすぐ打ち出すためのパターヘッド部のフェース面に関する。
【背景技術】
【０００２】    従来市販されているゴルフ用具のうち、ゴルフクラブは形状と用途によりウッド、アイアン、パターに分類されている。その中で、ウッドに関すればフェース面が平面な物もあれば曲面になっているものもある。しかしながら、アイアンとパターに関すれば、サイズや形状こそ種類は豊富であるがフェース面はどれも平面な物ばかりである。【０００３】
【特許文献１】特開２００６−１３０２３１号公報
【特許文献２】特開２００８−３６３１５号公報
【発明の開示】
【発明が解決しようとする課題】
【０００４】    前記従来の形状のみでは、使用する人それぞれのスイングによってはゴルフボールをまっすぐ飛ばせない場合がある。【０００５】    また、使用する環境、練習方法などに個人差はあるが、使用する人それぞれに適さない材質、重量、硬度、長さ、角度、サイズ、形状などのゴルフクラブを使用した場合、それぞれ適したゴルフクラブを使用した場合と比較すれば結果は明らかである。【０００６】    ヘッド部以外との組み合わせの影響も考えられるが、フェース面が平面なウッドを使用しゴルフボールを左右に飛ばす人が、曲面になったウッドを使用することによりゴルフボールをまっすぐ飛ばせている場合もある。【０００７】    そこで本発明は、前記ウッドの使用例に基づき、フェース面に曲面を持たせたアイアンヘッドならびにパターヘッドを提供する。
【課題を解決するための手段】
【０００８】    ゴルフクラブの形式の一つであるアイアンヘッド部のフェース面に曲面を持たせることによりまっすぐゴルフボールを飛ばすことを可能とする。【０００９】    ゴルフクラブの形式の一つであるパターヘッド部のフェース面に曲面を持たせることによりまっすぐゴルフボールを打ち出すことを可能とする。
【発明の効果】
【００１０】    前述のようにアイアンヘッド部のフェース面に曲面を持たせることにより、人それぞれに適した他のアイアン部と組み合わせて使用することにより、ゴルフボールをまっすぐ飛ばすことが可能である。【００１１】    前述のようにパターヘッド部のフェース面に曲面を持たせることにより、人それぞれに適した他のパター部と組み合わせて使用することにより、ゴルフボールをまっすぐ打ち出すことが可能である。【００１２】    また、従来市販されているゴルフクラブが同一商品であっても数種類の異なる角度のものが用意されているのと同様に、本発明品も数種類の異なる曲面のフェース面を持つアイアンヘッド部を用意することにより、さらに個人に適した曲面の度合いのものを見つけることが可能である。【００１３】    前述のように、本発明品も材質、重量、硬度、長さ、角度、サイズ、形状などをそれぞれ適したものを使用することにより、使用する人それぞれのゴルフの技術が向上し、コース戦略の際にゴルフクラブの選択肢が幅広くなり、ゴルフに関する楽しみを増すことが可能である。
【発明を実施するための最良の形態】
【００１４】    以下、本発明の実施の形態を図１から図４に基づいて説明する。【００１５】    図１に示すものは、本発明の一実施形態に係る曲面フェースアイアンヘッドの上面図である。アイアンヘッド部１のフェース面２を曲面にしたものをシャフト３、ソケット４やグリップなどと組み合わせて使用する。【００１６】  個人に適したものを見つけるためフェース面２の曲面は数種類の度合いのものを用意する。【００１７】  アイアンヘッド部１ならびに、それと組み合わせる他の部材の材質、重量、硬度、長さ、角度、サイズ、形状などは、従来のゴルフクラブ同様にゴルフ用具に関する規定に適合するものとする。【００１８】    図２に示すのは本発明品の曲面フェースアイアンヘッドの断面図である。
【図面の簡単な説明】
【００１９】
【図１】本発明の曲面フェースアイアンヘッドの一実施例を示す上面図。
【図２】本発明の曲面フェースアイアンヘッドの斜視図。
【図３】本発明の曲面フェースパターヘッドの一実施例を示す上面図。
【図４】本発明の曲面フェースパターヘッドの斜視図。
【符号の説明】
【００２０】１  アイアンヘッド部
２  フェース面
３  シャフト
４  シャフト装着部
５  パターヘッド部
【図１】
2010104741.tif 000003
【図２】
2010104741.tif 000004
【図３】
2010104741.tif 000005
【図４】
2010104741.tif 000006
(57)【要約】【課題】  両手を使うことなく片手のみで必要量の紙を切り取ることの出来る、人と地球に優しい紙巻器を提供する。【解決手段】  ペーパーを切断しようとすると同時にペーパーロール本体が制動され容易に片手でペーパーを切り取れることを特徴とする。【選択図】図１
2010104748.tif 000002
【特許請求の範囲】
【請求項１】
ロールペーパーの切断時、スイングプレートが手前に引かれると、連動するブレーキフックが、ロールペーパー中心空洞部内で、回転を摩擦力にて制動し、片手で必要量のペーパーを切断することを特徴とする、人と地球に優しい紙巻器。
【発明の詳細な説明】
【技術分野】
【０００１】  本発明は片手で使用可能な、トイレットペーパーホルダーに関するものである。
【背景技術】
【０００２】  従来のトイレットペーパーホルダーは片手でカバーを押さえ、もう一方の手でペーパーを摘み、切り取っていた。
【発明の開示】
【発明が解決しようとする課題】
【０００３】  次のような欠点があった。
ペーパーロールの回転を止める為、どうしても、両手を使うため、ホルダー側へ体をねじらねば、ペーパーは切ることは出来なかった。又ミシン目のあるロールペーパーは手前で切れたりし、必要量の長さに切れない。
次の人の為にと摘まみ部分の繰り出しや、よく見かける摘まみの三角折は、不衛生と嫌がる人もいる。
本発明は、以上の欠点を解決するためになされたものである。
【発明が解決するための手段】
【０００４】  ペーパーロールの回転を逆転させペーパーを切断しようとすると、同時に、ロールにブレーキ  が作動し容易にペーパーの切断が出来るようにした。
本発明は、以上の構成よりなるトイレの人と地球に優しい紙巻器である。
【発明の効果】
【０００５】  （イ）  福祉用品として、介護センター、老人や身障者等、広く普及できる。
（ロ）  本発明は、ペーパーに十分な垂れ下がりと、まみ易さがあるので、繰り出し等は不要で、容易に引き出せる。
（ハ）  上面がフラットのため、お花等インテリアの置き台としても利用できる。
（ニ）  ペーパーのミシン目は不要で必要量の長さで切断でき地球に優しく経済的である。
【発明を実施するための最良の形態】
【０００６】    以下、本発明の実施の形態を説明する。
（１）のロールシャフトに下がっている、ペーパーの端（６）を摘み必要長さの位置で（４）スイングプレート端のペーパー切断刃（５）に当て手前に引くとスイングアーム（３）が連動し、先端のブレーキフック（２）がロールの中心空洞内で、回転をがっちり止めるので容易にペーパーを切ることが出来る構造である。
本発明は、以上の構成よりなっている。
これを使用するときは、従来両手を使わなければ出来なかったのが、片手のみで使用できる。
【図面の簡単な説明】
【０００７】
【図１】  本発明の斜視図である。
【符号の説明】
【０００８】  １  ロールシャフト
２  ブレーキフック
３  スイングアーム
４  スイングプレート
５  ペーパー切断鋸歯
６  ペーパー
【図１】
2010104748.tif 000003
(57)【要約】      （修正有）【課題】腰痛、靴下を履くのに時間の掛かる人など、腰を曲げずにこの用具を手に持ち用具の出つ張り部分のおくまで靴下を履かせ止め具で靴下を挟み下に置き履きたい足を用具に差し込み足を前に進めると共に引き抜き棒を後ろに引き上げ用具から足が抜け靴下に足が入り靴下を履き易くしたものである。【解決手段】足を置く板１の両側に固めの出つ張り部分２を設けその両方の外側に靴下止具３を付けて引き抜き棒４設け腰に負担を掛けず靴下を用具に履かせて下に置きその中に足を差し込み足を前に出すと共に用具部分４を後ろに引き上げる方法により靴下を履き易くした。【選択図】図３
2010104749.tif 000002
【特許請求の範囲】
【請求項１】
足を置く板▲１▼の両側に固めの出つ張り部分▲２▼設けその外側の両側に靴下を止める為の止具▲３▼をつけ用具を後ろに引き上げる為の棒▲４▼を設ける。
靴下を履くための用具である。
【発明の詳細な説明】
【技術分野】
【０００１】この発明は、足を置く板の両側に固めの出つ張り部分を設けその両側の外側に靴下を止める止具を付けた用具を手に持ち用具の出つ張り部分の中央奥まで靴下を履かせ両側の止具で靴下を挟み用具を下に置きその中に足を入れ足を前に進めると共に引き棒を後に引き上あげることにより靴下を履き易くした。
【背景技術】
【０００２】腰が曲がらず、メタボなどで靴下を履くことが不自由な人などに便利である。
【発明の開示】
【発明が解決しようとする課題】
【０００３】この用具を手に持ち出つ張り部分の中央おくまで靴下を履かせて止具で靴下挟み用具を下に置きその中に足を入れ足を前に出しながら用具の引棒で後ろ引き上げるて靴下を履き易くしたものである。  腰痛、メタボなど靴下が履けない人や履くのに時間が掛かる人がふえている。本発明は以上のような人を救うためのものである。
【課題を解決するための手段】
【０００４】足を置く板▲１▼の両側に固めの出つ張り部分▲２▼を設けその両方の外側に靴下を止める止具▲３▼を付け用具を後ろに引き上げる棒▲４▼を付けものである。
本発明は以上の構成よりなる靴下着用の用具である。
【発明の効果】
【０００５】用具を手に持ち靴下を出つ張り部分の中央おくまで靴下を履かせて止め具で靴下を挟み下に置きその中に足を入れて足を前に出すと共に用具を後ろに引き上げることにより靴下を履き易くするものである。
【発明を実施するための最良の形態】
【０００６】以下、本発明を実施するための最良の形態について説明する。
足を置く板（１）の両側に固めの出つ張り部分（２）を設けその両方の外側に靴下を止める止具（３）付け用具を引き抜く為の棒（４）設けこの用具に靴下を出張り部分のおくまで履かせ止具で靴下を挟み用具を下に置きその中に履きた足を入れ足を前方に出すと共に引き抜き棒を後ろに引き上げ抜くことにより下を履き易くしたものでありこれを使用すると軽く腰を曲げるだけで靴下が履ける。
【図面の簡単な説明】
【０００７】
【図１】  本発明の斜視図である。
【図２】  本発明の断面図である。
【図３】  本発明の用具に靴下を履かせ靴下止め具付けた斜視図である。
【符号の説明】
【０００８】    １  足を置く板
２  両側に固めの出つ張り部分
３  ２の両方の外側の靴下を止めるための止具
４  用具を引き抜くための棒
【図１】
2010104749.tif 000003
【図２】
2010104749.tif 000004
【図３】
2010104749.tif 000005
(57)【要約】【課題】棒状スポンジに手袋を被せた５本指靴下を履く補助具を提供する。【解決手段】棒状スポンジの先端部を細くし、半面に切り込みを設け、持ち手部分になるスポンジ間を接着し固定する。その上から手袋を設け手間なく履きやすくすることを特徴とする５本指靴下を履く補助具。【選択図】図１
2010104753.tif 000002
【特許請求の範囲】
【請求項１】
棒状スポンジの先端部を細くし、半面に切り込みを設け、持ち手部分を接着固定し、上から手袋を被せることを特徴とする５本指靴下を履く補助具。
【発明の詳細な説明】
【技術分野】
【０００１】  本発明は、５本指靴下を履く時に、足指の間に挟みながら手間なく履かせる５本指靴下を履く補助具に関するものである。
【背景技術】
【０００２】  従来、５本指靴下を履く時、１指ずつ靴下に履かせていたので、時間がかかっていた。
【発明の開示】
【発明が解決しようとする課題】
【０００３】  そのために、次のような問題点があった。
（イ）履く時、手で１指ずつ靴下に履かせていたので時間がかかりすぐには履けない。
（ロ）５本指靴下を持っていても面倒なので履かなくなりがちである。
（ハ）履かせる場合、自分で履くよりも苦労する。
本発明は、これらの問題点を解決するためになされたものである。
【課題を解決するための手段】
【０００４】  棒状スポンジの先端部を細くし、半面に切り込みを設け、持ち手部分になるスポンジ間を接着し固定する。
その上から手袋を設ける。
以上を特徴とする５本指靴下を履く補助具である。
【発明の効果】
【０００５】  本発明は、指間にスポンジ棒を挟む事で、指を開かせ靴下が履ける。
したがって、手で指１本ずつに入れるわずらわしさがない。
【発明を実施するための最良の形態】
【０００６】  以下、本発明の実施の形態について説明する。
（イ）４本の棒状スポンジ（５）の先端部（４）を細く削り、半面に数ヶ所切り込み（７を設ける。
（ロ）棒状スポンジ（５）を並べて持ち手部分（２）を接着（６）し固定する。
（ハ）その上から手袋（１）を被せて縫い合わせ（３）棒状スポンジを（５）隠す。
本発明は、以上のような構成である。
本発明を使用する時は、５本指靴下を履く時、足の指の間に棒状スポンジ（５）の先端部（４）を深く差し込みその上から靴下を指のところまで履かせ、持ち手部分（２）を引き出す。
指の間から離す事で、靴下が各指に入る。
その後は、通常の靴下と同じ要領で履く事ができる。
この結果、１指ごとに履く手間や面到くささがなくなる。
【図面の簡単な説明】
【０００７】
【図１】本発明の内部斜視図
【図２】本発明の外部の説明図
【図３】本発明の使用状態を示した説明図
【図４】本発明の使用状態を示した説明図
【図５】本発明の使用状態を示した説明図
【符号の説明】
【０００８】１  手袋
２  持ち手部分
３  縫い合わせ
４  先端部
５  棒状スポンジ
６  接着
７  切り込み
【図１】
2010104753.tif 000003
【図２】
2010104753.tif 000004
【図３】
2010104753.tif 000005
【図４】
2010104753.tif 000006
【図５】
2010104753.tif 000007